【手続補正書】
【提出日】平成28年4月14日(2016.4.14)
【手続補正１】
【補正対象書類名】明細書
【補正対象項目名】発明の名称
【補正方法】変更
【補正の内容】
【発明の名称】情報処理装置、表示制御方法、コンピュータプログラム、及び記憶媒体
【手続補正２】
【補正対象書類名】特許請求の範囲
【補正対象項目名】全文
【補正方法】変更
【補正の内容】
【特許請求の範囲】
【請求項１】
表示画面に複数のアイコンを配置して表示させる表示制御手段と、
前記表示画面上で入力される入力位置を取得する位置取得手段と、
前記位置取得手段によって取得された複数の入力位置に基づいて、前記表示されている複数のアイコンのうち前記複数の入力位置が指示する複数のアイコンを特定する特定手段と、
前記特定された複数のアイコンと同数の部分領域に、前記表示画面を分割する分割手段と、を備え、
前記表示制御手段は、前記特定された複数のアイコンに対応する複数のアプリケーションソフトウェアの実行時の画面の各々を、複数の前記部分領域のうち、前記特定された複数のアイコンの各々で検出される入力位置の推移によって特定されるいずれかの部分領域に表示させることを特徴とする、
情報処理装置。
【請求項２】
前記特定された複数のアイコンの各々で検出される入力位置の推移に基づいて、前記部分領域の各々に、前記特定された複数のアイコンに対応する複数の前記アプリケーションソフトウェアを１つずつ関連付けする関連付け手段と、
前記複数のアプリケーションソフトウェアを実行する実行手段とをさらに備え、
前記表示制御手段は、前記アプリケーションソフトウェアの実行時の画面を関連付けされた部分領域に表示することを特徴とする、
請求項１に記載の情報処理装置。
【請求項３】
前記関連付け手段は、前記特定された複数のアイコンの各々の表示位置で開始された入力が維持されたまま前記入力位置が移動した後、前記入力が終了した入力位置と、前記部分領域との位置関係に基づいて、前記部分領域の各々に、前記アプリケーションソフトウェアを１つずつ関連付けすることを特徴とする、
請求項２に記載の情報処理装置。
【請求項４】
前記表示制御手段は、前記表示画面に複数の前記アイコンが表示される複数ページの画面を表示させ、
前記特定手段は、前記表示画面に表示されているページに含まれる第１アイコンの表示位置で入力位置が検出されたことに応じて前記第１アイコンを特定し、前記入力位置の入力が維持された状態で改ページが実行され、改ページした後の画面で表示された第２アイコンの表示位置でさらに入力位置が検出されたことに応じて前記第２アイコンを特定し、
前記関連付け手段は、前記改ページした後の画面において、前記第１アイコン及び前記第２アイコンが特定された後、各アイコンの表示位置から開始された前記入力位置の移動が終了した位置と、前記部分領域との位置関係に基づいて、前記部分領域の各々に、前記アプリケーションソフトウェアを１つずつ関連付けすることを特徴とする、
請求項２に記載の情報処理装置。
【請求項５】
前記位置取得手段は、ユーザの指が前記表示画面をタッチすることで入力される位置を前記入力位置として取得し、さらに前記入力位置とともに、各入力位置がタッチされたときの前記指と前記表示画面との接触面積、接触するときの押圧力、及び押圧時間の少なくとも一つを取得し、
前記分割手段は、前記部分領域の面積を、当該部分領域に関連付けられたアプリケーションソフトウェアの該アイコンへの前記接触面積、前記押圧力、及び前記押圧時間のいずれかに応じて決めることを特徴とする、
請求項２〜４のいずれか１項に記載の情報処理装置。
【請求項６】
タッチ入力を受付可能な表示画面に複数のアイコンを配置して表示させる表示制御手段と、
前記表示されている複数のアイコンのうちマルチタッチされた複数のアイコンを特定する特定手段と、
前記特定された複数のアイコンと同数の部分領域に、前記表示画面を分割する分割手段とを備え、
前記表示制御手段は、前記特定された複数のアイコンに対応する複数のアプリケーションソフトウェアの実行時の画面の各々を、複数の前記部分領域のうち、前記マルチタッチされた複数のアイコンの各々に入力されるドラッグ操作が示すいずれかの部分領域に表示させることを特徴とする、
情報処理装置。
【請求項７】
前記マルチタッチされた複数のアイコンの各々に入力されるドラッグ操作が終了された位置と、前記部分領域の位置関係に基づいて、前記部分領域の各々に、前記特定された複数のアイコンに対応する複数の前記アプリケーションソフトウェアを１つずつ関連付けする関連付け手段をさらに備え、
前記表示制御手段は、前記アプリケーションソフトウェアの実行時の画面を前記関連付け手段に関連付けられた部分領域に表示することを特徴とする、
請求項６に記載の情報処理装置。
【請求項８】
前記表示制御手段は、前記表示画面に複数の前記アイコンが表示される複数ページの画面を、入力されるフリックに応じて切り替えて表示させ、
前記特定手段は、前記表示画面に表示されているページに含まれる第１アイコンの表示位置がタッチされたことに応じて前記第１アイコンを特定し、前記第１アイコンへのタッチ入力が維持された状態で、前記フリックに応じた改ページが実行され、改ページした後の画面で表示された第２アイコンの表示位置でさらにタッチ入力が検出されたことに応じて前記第２アイコンを特定し、
前記関連付け手段は、前記改ページした後の画面において、マルチタッチされた状態となった前記第１アイコン及び前記第２アイコンが特定された後、各アイコンの表示位置から開始されたドラッグ操作が終了した位置と、前記部分領域との位置関係に基づいて、前記部分領域の各々に、前記アプリケーションを１つずつ関連付けすることを特徴とする、
請求項７に記載の情報処理装置。
【請求項９】
ユーザの指が前記表示画面をタッチすることで入力される位置とともに、各位置がタッチされたときの前記指と前記表示画面との接触面積、接触するときの押圧力、及び押圧時間の少なくとも一つを取得する位置取得手段をさらに備え、
前記分割手段は、前記部分領域の面積を、当該部分領域に関連付けられたアプリケーションソフトウェアの該アイコンへの前記接触面積、前記押圧力、及び前記押圧時間のいずれかに応じて決めることを特徴とする、
請求項６〜８のいずれか１項に記載の情報処理装置。
【請求項１０】
さらに、情報処理装置本体の姿勢を検知するための姿勢検知センサを備え、
前記分割手段は、前記姿勢検知センサの検知結果に応じて前記情報処理装置本体が縦置き及び横置きのいずれの姿勢であるかを検出して、縦置きであれば前記表示画面を上下方向に並ぶ部分領域に分割し、横置きであれば前記表示画面を左右方向に並ぶ部分領域に分割することを特徴とする、
請求項１〜９のいずれか１項記載の情報処理装置。
【請求項１１】
複数のアイコンを表示画面に配列して表示するディスプレイ及び前記ディスプレイの表示画面上で入力される入力位置を取得する位置取得手段を備えた装置により実行される方法であって、
前記位置取得手段によって取得された複数の入力位置に基づいて、前記表示されている複数のアイコンのうち前記複数の入力位置が指示する複数のアイコンを特定するステップと、
前記特定された複数のアイコンと同数の部分領域に、前記表示画面を分割するステップと、
前記特定された複数のアイコンに対応する複数のアプリケーションソフトウェアの実行時の画面の各々を、複数の前記部分領域のうち、前記特定された複数のアイコンの各々で検出される入力位置の推移によって特定されるいずれかの部分領域に表示させるステップと、を含むことを特徴とする、
表示制御方法。
【請求項１２】
タッチ入力を受付可能な表示画面に複数のアイコンを配置して表示するディスプレイを備えた装置により実行される方法であって、
前記表示されている複数のアイコンのうちマルチタッチされた複数のアイコンを特定するステップと、
前記特定された複数のアイコンと同数の部分領域に、前記表示画面を分割するステップと、
前記特定された複数のアイコンに対応する複数のアプリケーションソフトウェアの実行時の画面の各々を、複数の前記部分領域のうち、前記マルチタッチされた複数のアイコンの各々に入力されるドラッグ操作が示すいずれかの部分領域に表示させるステップと、を含むことを特徴とする、
表示制御方法。
【請求項１３】
複数のアイコンを表示画面に配列して表示するディスプレイ及び前記ディスプレイの表示画面上で入力される入力位置を取得する位置取得手段を備えたコンピュータに、
前記位置取得手段によって取得された複数の入力位置に基づいて、前記表示されている複数のアイコンのうち前記複数の入力位置が指示する複数のアイコンを特定する処理、
前記特定された複数のアイコンと同数の部分領域に、前記表示画面を分割する処理、
前記特定された複数のアイコンに対応する複数のアプリケーションソフトウェアの実行時の画面の各々を、複数の前記部分領域のうち、前記特定された複数のアイコンの各々で検出される入力位置の推移によって特定されるいずれかの部分領域に表示させる処理、
を実行させるためのコンピュータプログラム。
【請求項１４】
タッチ入力を受付可能な表示画面に複数のアイコンを配置して表示するディスプレイを備えたコンピュータに、
前記表示されている複数のアイコンのうちマルチタッチされた複数のアイコンを特定する処理、
前記特定された複数のアイコンと同数の部分領域に、前記表示画面を分割する処理、
前記特定された複数のアイコンに対応する複数のアプリケーションソフトウェアの実行時の画面の各々を、複数の前記部分領域のうち、前記マルチタッチされた複数のアイコンの各々に入力されるドラッグ操作が示すいずれかの部分領域に表示させる処理、
を実行させるためのコンピュータプログラム。
【請求項１５】
請求項１３記載のコンピュータプログラムを記憶するコンピュータにより読み取り可能な記憶媒体。
【請求項１６】
請求項１４記載のコンピュータプログラムを記憶するコンピュータにより読み取り可能な記憶媒体。
【手続補正３】
【補正対象書類名】明細書
【補正対象項目名】０００７
【補正方法】変更
【補正の内容】
【０００７】
上記課題を解決する本発明の情報処理装置は、表示画面に複数のアイコンを配置して表示させる表示制御手段と、前記表示画面上で入力される入力位置を取得する位置取得手段と、前記位置取得手段によって取得された複数の入力位置に基づいて、前記表示されている複数のアイコンのうち前記複数の入力位置が指示する複数のアイコンを特定する特定手段と、前記特定された複数のアイコンと同数の部分領域に、前記表示画面を分割する分割手段と、を備え、前記表示制御手段は、前記特定された複数のアイコンに対応する複数のアプリケーションソフトウェアの実行時の画面の各々を、複数の前記部分領域のうち、前記特定された複数のアイコンの各々で検出される入力位置の推移によって特定されるいずれかの部分領域に表示させることを特徴とする。